(57)【特許請求の範囲】
【請求項１】
基台と、該基台から立設され先端に二股分枝部を有する受止板とからなり、該受止板の両側には壁材の実嵌合部が形成され、
該二股分枝部は、該受止板の本体に連続する上側枝部と、着脱可能な下側枝部とからなり、
該上側枝部の基端部分には、該基端部分に沿って細長孔が形成されており、
該下側枝部は、枝部本体と挿入部とからなる断面山形の形状を有し、該枝部本体と挿入部との境界部分において、一方の側からは深いスリットが形成され、他方の側からは浅いスリットが形成されており、
該下側枝部の長さは、該上側枝部の細長孔の長さよりも大きく設定されており、該下側枝部の浅いスリットの開口端から該深いスリットの奥端までの長さは、該上側枝部の細長孔の長さよりも若干小さく設定されており、
該下側枝部の挿入部を該下側枝部の深いスリット側から該上側枝部の基端部分の細長孔に挿入し、該下側枝部の深いスリットを該上側枝部の基端部分に噛み込ませ、該下側枝部の挿入部における浅いスリット側の端部が該上側枝部の細長孔を通過したら、該下側枝部を該浅いスリット側にスライドさせて、該浅いスリットを該上側枝部の基端部分に噛み込ませることにより、該下側枝部は該上側枝部の基端部分に取り付けられることを特徴とする壁材取付金具。
【請求項２】
内層板と外層板とを有する壁材を施工するための壁材取付金具であって、
基台と、該基台から立設され先端に二股分枝部及び中間に内層板係合部を有する受止板とからなり、該内層板係合部と該二股分枝部との間において該受止板の両側には外層板の実嵌合部が形成され、
該二股分枝部は、該受止板の本体に連続する上側枝部と、着脱可能な下側枝部とからなり、
該上側枝部の基端部分には、該基端部分に沿って細長孔が形成されており、
該下側枝部は、枝部本体と挿入部とからなる断面山形の形状を有し、該枝部本体と挿入部との境界部分において、一方の側からは深いスリットが形成され、他方の側からは浅いスリットが形成されており、
該下側枝部の長さは、該上側枝部の細長孔の長さよりも大きく設定されており、該下側枝部の浅いスリットの開口端から該深いスリットの奥端までの長さは、該上側枝部の細長孔の長さよりも若干小さく設定されており、
該下側枝部の挿入部を該下側枝部の深いスリット側から該上側枝部の基端部分の細長孔に挿入し、該下側枝部の深いスリットを該上側枝部の基端部分に噛み込ませ、該下側枝部の挿入部における浅いスリット側の端部が該上側枝部の細長孔を通過したら、該下側枝部を該浅いスリット側にスライドさせて、該浅いスリットを該上側枝部の基端部分に噛み込ませることにより、該下側枝部は該上側枝部の基端部分に取り付けられることを特徴とする壁材取付金具。
【請求項３】
該二股分枝部は、該受止板の本体に連続する上側枝部と、着脱可能な下側枝部とからなり、
該上側枝部の中間には、該上側枝部の基端部分まで至る切欠部が形成されており、
該下側枝部は、枝部本体と基部とからなる断面山形の形状を有し、該枝部本体と基部との境界部分において、両側からスリットが形成されており、
該下側枝部の枝部本体及び基部の長さは、該上側枝部の切欠部の長さよりも大きく設定されており、該下側枝部における一方のスリットの奥端から他方のスリットの奥端までの境界部分の長さは、該上側枝部の切欠部の長さに対応しており、
該下側枝部の境界部分を該上側枝部の切欠部に嵌合させつつ、該下側枝部のスリットを該上側枝部の切欠部下端の両側に噛み込ませることにより、該下側枝部は該上側枝部の基端部分に取り付けられる請求項１又は２記載の壁材取付金具。
【請求項４】
該二股分枝部は、該受止板の本体に連続する上側枝部と、着脱可能な下側枝部とからなり、
該上側枝部の基端部分の両側又は一方の側からはスリットが形成されており、
該下側枝部は、枝部本体と基部とからなる断面山形の形状を有し、該枝部本体と基部との境界部分に沿って細長孔が形成されており、該下側枝部の細長孔の長さは、該上側枝部の長さよりも大きく設定されており、
該下側枝部の細長孔に該上側枝部を挿入した後、該下側枝部をスライドさせ、該上側枝部のスリットを該下側枝部の境界部分に噛み込ませることにより、該下側枝部は該上側枝部の基端部分に取り付けられる請求項１又は２記載の壁材取付金具。
【請求項５】
該上側枝部、及び下側枝部の細長孔は複数形成されている請求項４記載の壁材取付金具。
【請求項６】
該二股分枝部は、該受止板の本体に連続する上側枝部と、着脱可能な下側枝部とからなり、
該上側枝部の基端部分には、該基端部分に沿って細長孔が形成されており、
該下側枝部は、枝部本体と挿入部とからなる断面山形の形状を有し、該枝部本体と挿入部との境界部分の両側又は一方の側からはスリットが形成されており、
該上側枝部の細長孔の長さは、該下側枝部の挿入部の長さよりも大きく設定されており、
該下側枝部の挿入部を該上側枝部の細長孔に挿入した後、該下側枝部をスライドさせ、該下側枝部のスリットを該上側枝部の基端部分に噛み込ませることにより、該下側枝部は該上側枝部の基端部分に取り付けられる請求項１又は２記載の壁材取付金具。
【請求項７】
該上側枝部の細長孔及び下側枝部の挿入部は複数形成されている請求項６記載の壁材取付金具。
【請求項８】
該二股分枝部は、該受止板の本体に連続する上側枝部と、着脱可能な下側枝部とからなり、
該上側枝部には、該上側枝部の基端部分まで至る切欠部が部分的に形成されており、
該下側枝部は、枝部本体と基部とからなる断面山形の形状を有し、該枝部本体と基部との境界部分において、両側又は一方の側からスリットが形成されており、該下側枝部の境界部分の長さは、該上側枝部の切欠部の長さよりも小さく設定されており、
該上側枝部の切欠部を介して該下側枝部の基部を該受止板の本体の先端部に重ね合わせた後、該下側枝部をスライドさせ、該下側枝部のスリットを該上側枝部の基端部分に噛み込ませることにより、該下側枝部は該上側枝部の基端部分に取り付けられる請求項１又は２記載の壁材取付金具。
【請求項９】
該上側枝部の切欠部及び下側枝部の基部は複数形成されている請求項８記載の壁材取付金具。
【発明の詳細な説明】
【０００１】
【発明の属する技術分野】
本発明は、壁材の施工に使用される取付金具に関するものである。
【０００２】
【従来の技術及び発明が解決しようとする課題】
建物の壁材を施工するのに使用される従来の壁材取付金具１Ｐは、図６０に示すように、基台２Ｐと、該基台２Ｐから立設され先端に二股分枝部４Ｐを有する受止板３Ｐとからなり、該受止板３Ｐの両側に壁材の実嵌合部15Ｐ，16Ｐが形成されている。
【０００３】
かかる取付金具１Ｐを使用して壁材８を施工するには、図６１に示すように、躯体柱５に壁材８を沿わせつつ、該取付金具１Ｐの下側の実嵌合部15Ｐに該壁材８の下実81を嵌合させて、釘51によって該取付金具１Ｐを該躯体柱５に止着する。次いで、一つ上の段の壁材８ａを該躯体柱５に沿わせ、該壁材８ａの奥実83ａを該取付金具１Ｐの上側の実嵌合部16Ｐに嵌合させ、以下同様にして壁材８，８ａ…を順次施工していく。
【０００４】
しかしながら、上記のように躯体柱５に壁材８を沿わせつつ、該壁材８の下実81を取付金具１Ｐの下側の実嵌合部15Ｐに嵌合させ、その状態を保ちながら釘51によって該取付金具１Ｐを該躯体柱５に止着するのは、施工工程上煩雑である。
したがって、本発明の第１の課題は、壁材を簡単に施工することのできる壁材取付金具を提供することである。
【０００５】
一方、従来より、建物の外壁を断熱する外断熱工法として、断熱材と外装材とをあらかじめ一体的に複合パネル化したものを施工現場に持ち込み、施工する方法が行われている。
【０００６】
しかしながら、該断熱材と外装材とは接着剤を使用して複合パネル化されるため、該接着剤及び接着工程によって原料コストや製造コストが嵩むとともに、該接着剤が人間の健康や環境に与える悪影響も問題となる。
さらに、該外壁をリフォームする際には、接着剤によって接着された外装材と断熱材とは必然的に一度に張り替えなくてはならない。また、該複合パネルを廃棄したりリサイクルする場合にも、外装材と断熱材とを分別するのが困難であり、分別できたとしてもコストが高くなる。
【０００７】
また、パネル化しないものとして、断熱材を施工した後、該断熱材に胴縁を取り付け、次いで該胴縁の上に外装材を施工する方法があるが、かかる方法は非常に手間がかかり、材料コストも高くなるという問題がある。
【０００８】
したがって、本発明の第２の課題は、断熱材、外装材等の壁材を相互に接着することなく、簡単に重ね張り施工することのできる壁材取付金具を提供することである。
【０００９】
【課題を解決するための手段】
上記第１の課題を解決するために、本発明は、基台（２）と、該基台（２）から立設され先端に二股分枝部（４）を有する受止板（３）とからなり、該受止板（３）の両側には壁材（８）の実嵌合部（15，16）が形成され、該二股分枝部（４）は、該受止板（３）の本体に連続する上側枝部（41）と、着脱可能な下側枝部（42）とからなり、該上側枝部（41）の基端部分（411)には、該基端部分（411)に沿って細長孔（43）が形成されており、該下側枝部（42）は、枝部本体（421)と挿入部（422)とからなる断面山形の形状を有し、該枝部本体（421)と挿入部（422)との境界部分において、一方の側からは深いスリット（423)が形成され、他方の側からは浅いスリット（424)が形成されており、該下側枝部（42）の長さ（Ｌ2 ）は、該上側枝部（41）の細長孔（43）の長さ（Ｌ1 ）よりも大きく設定されており、該下側枝部（42）の浅いスリット（424)の開口端から該深いスリット（423)の奥端までの長さ（Ｌ3 ）は、該上側枝部（41）の細長孔（43）の長さよりも若干小さく設定されており、該下側枝部（42）の挿入部（422)を該下側枝部（42）の深いスリット（423)側から該上側枝部（41）の基端部分（411)の細長孔（43）に挿入し、該下側枝部（42）の深いスリット（423)を該上側枝部（41）の基端部分（411)に噛み込ませ、該下側枝部（42）の挿入部（422)における浅いスリット（424)側の端部が該上側枝部（41）の細長孔（43）を通過したら、該下側枝部（42）を該浅いスリット（424)側にスライドさせて、該浅いスリット（424)を該上側枝部（41）の基端部分（411)に噛み込ませることにより、該下側枝部（42）は該上側枝部（41）の基端部分（411)に取り付けられることを特徴とする第１の壁材取付金具（１）を提供するものである。
【００１０】
また、上記第２の課題を解決するために、本発明は、内層板（６）と外層板（７）とを有する壁材を施工するための壁材取付金具（10）であって、基台（２）と、該基台（２）から立設され先端に二股分枝部（４）及び中間に内層板係合部（31）を有する受止板（３）とからなり、該内層板係合部（31）と該二股分枝部（４）との間において該受止板（３）の両側には外層板（７）の実嵌合部（13，14）が形成され、該二股分枝部（４）は、該受止板（３）の本体に連続する上側枝部（41）と、着脱可能な下側枝部（42）とからなり、該上側枝部（41）の基端部分（411)には、該基端部分（411)に沿って細長孔（43）が形成されており、該下側枝部（42）は、枝部本体（421)と挿入部（422)とからなる断面山形の形状を有し、該枝部本体（421)と挿入部（422)との境界部分において、一方の側からは深いスリット（423)が形成され、他方の側からは浅いスリット（424)が形成されており、該下側枝部（42）の長さ（Ｌ2 ）は、該上側枝部（41）の細長孔（43）の長さ（Ｌ1 ）よりも大きく設定されており、該下側枝部（42）の浅いスリット（424)の開口端から該深いスリット（423)の奥端までの長さ（Ｌ3 ）は、該上側枝部（41）の細長孔（43）の長さよりも若干小さく設定されており、該下側枝部（42）の挿入部（422)を該下側枝部（42）の深いスリット（423)側から該上側枝部（41）の基端部分（411)の細長孔（43）に挿入し、該下側枝部（42）の深いスリット（423)を該上側枝部（41）の基端部分（411)に噛み込ませ、該下側枝部（42）の挿入部（422)における浅いスリット（424)側の端部が該上側枝部（41）の細長孔（43）を通過したら、該下側枝部（42）を該浅いスリット（424)側にスライドさせて、該浅いスリット（424)を該上側枝部（41）の基端部分（411)に噛み込ませることにより、該下側枝部（42）は該上側枝部（41）の基端部分（411)に取り付けられることを特徴とする第２の壁材取付金具（10）を提供するものである。
【００１１】
また、上記第１の壁材取付金具（１）及び第２の壁材取付金具（10）において、該二股分枝部（４Ａ）は、該受止板（３Ａ）の本体に連続する上側枝部（41Ａ）と、着脱可能な下側枝部（42Ａ）とからなり、該上側枝部（41Ａ）の中間には、該上側枝部（41Ａ）の基端部分（411 Ａ）まで至る切欠部（44Ａ）が形成されており、該下側枝部（42Ａ）は、枝部本体（421 Ａ）と基部（425 Ａ）とからなる断面山形の形状を有し、該枝部本体（421 Ａ）と基部（425 Ａ）との境界部分（426 Ａ）において、両側からスリット（423 Ａ，424 Ａ）が形成されており、該下側枝部（42Ａ）の枝部本体（421 Ａ）及び基部（425 Ａ）の長さは、該上側枝部（41Ａ）の切欠部（44Ａ）の長さよりも大きく設定されており、該下側枝部（42Ａ）における一方のスリット（423 Ａ）の奥端から他方のスリット（424 Ａ）の奥端までの境界部分（426 Ａ）の長さは、該上側枝部（41Ａ）の切欠部（44Ａ）の長さに対応しており、該下側枝部（42Ａ）の境界部分（426 Ａ）を該上側枝部（41Ａ）の切欠部（44Ａ）に嵌合させつつ、該下側枝部（42Ａ）のスリット（423 Ａ，424 Ａ）を該上側枝部（41Ａ）の切欠部（44Ａ）下端の両側に噛み込ませることにより、該下側枝部（42Ａ）は該上側枝部（41Ａ）の基端部分（411Ａ）に取り付けられてもよい。
【００１２】
さらに、上記第１の壁材取付金具（１）及び第２の壁材取付金具（10）において、該二股分枝部（４Ｂ）は、該受止板（３Ｂ）の本体に連続する上側枝部（41Ｂ）と、着脱可能な下側枝部（42Ｂ）とからなり、該上側枝部（41Ｂ）の基端部分（411 Ｂ）の両側又は一方の側からはスリット（45Ｂ）が形成されており、該下側枝部（42Ｂ）は、枝部本体（421 Ｂ）と基部（425 Ｂ）とからなる断面山形の形状を有し、該枝部本体（421 Ｂ）と基部（425 Ｂ）との境界部分（426 Ｂ）に沿って細長孔（427 Ｂ）が形成されており、該下側枝部（42Ｂ）の細長孔（427 Ｂ）の長さは、該上側枝部（41Ｂ）の長さよりも大きく設定されており、該下側枝部（42Ｂ）の細長孔（427 Ｂ）に該上側枝部（41Ｂ）を挿入した後、該下側枝部（42Ｂ）をスライドさせ、該上側枝部（41Ｂ）のスリット（45Ｂ）を該下側枝部（42Ｂ）の境界部分（426 Ｂ）に噛み込ませることにより、該下側枝部（42Ｂ）は該上側枝部（41Ｂ）の基端部分（411 Ｂ）に取り付けられてもよい。また、該上側枝部（41Ｂ）、及び下側枝部（42Ｂ）の細長孔（427 Ｂ）は複数形成されていてもよい。
【００１３】
さらに、上記第１の壁材取付金具（１）及び第２の壁材取付金具（10）において、該二股分枝部（４Ｃ）は、該受止板（３Ｃ）の本体に連続する上側枝部（41Ｃ）と、着脱可能な下側枝部（42Ｃ）とからなり、該上側枝部（41Ｃ）の基端部分（411 Ｃ）には、該基端部分（411 Ｃ）に沿って細長孔（43Ｃ）が形成されており、該下側枝部（42Ｃ）は、枝部本体（421 Ｃ）と挿入部（422 Ｃ）とからなる断面山形の形状を有し、該枝部本体（421 Ｃ）と挿入部（422 Ｃ）との境界部分の両側又は一方の側からはスリット（423 Ｃ）が形成されており、該上側枝部（41Ｃ）の細長孔（43Ｃ）の長さは、該下側枝部（42Ｃ）の挿入部（422 Ｃ）の長さよりも大きく設定されており、該下側枝部（42Ｃ）の挿入部（422 Ｃ）を該上側枝部（41Ｃ）の細長孔（43Ｃ）に挿入した後、該下側枝部（42Ｃ）をスライドさせ、該下側枝部（42Ｃ）のスリット（423 Ｃ）を該上側枝部（41Ｃ）の基端部分（411 Ｃ）に噛み込ませることにより、該下側枝部（42Ｃ）は該上側枝部（41Ｃ）の基端部分（411 Ｃ）に取り付けられてもよい。また、該上側枝部（41Ｃ）の細長孔（43Ｃ）及び下側枝部（42Ｃ）の挿入部（422 Ｃ）は複数形成されていてもよい。
【００１４】
さらに、上記第１の壁材取付金具（１）及び第２の壁材取付金具（10）において、該二股分枝部（４Ｄ）は、該受止板（３Ｄ）の本体に連続する上側枝部（41Ｄ）と、着脱可能な下側枝部（42Ｄ）とからなり、該上側枝部（41Ｄ）には、該上側枝部（41Ｄ）の基端部分（411 Ｄ）まで至る切欠部（44Ｄ）が部分的に形成されており、該下側枝部（42Ｄ）は、枝部本体（421 Ｄ）と基部（425 Ｄ）とからなる断面山形の形状を有し、該枝部本体（421 Ｄ）と基部（425 Ｄ）との境界部分（426 Ｄ）において、両側又は一方の側からスリット（423 Ｄ）が形成されており、該下側枝部（42Ｄ）の境界部分（426 Ｄ）の長さは、該上側枝部（41Ｄ）の切欠部（44Ｄ）の長さよりも小さく設定されており、該上側枝部（41Ｄ）の切欠部（44Ｄ）を介して該下側枝部（42Ｄ）の基部（425 Ｄ）を該受止板（３Ｄ）本体の先端部に重ね合わせた後、該下側枝部（42Ｄ）をスライドさせ、該下側枝部（42Ｄ）のスリット（423 Ｄ）を該上側枝部（41Ｄ）の基端部分（411 Ｄ）に噛み込ませることにより、該下側枝部（42Ｄ）は該上側枝部（41Ｄ）の基端部分（411 Ｄ）に取り付けられてもよい。また、該上側枝部（41Ｄ）の切欠部（44Ｄ）及び下側枝部（42Ｄ）の基部（425 Ｄ）は複数形成されていてもよい。
【００１５】
【発明の実施の形態】
以下、図面を参照して本発明を詳細に説明する。本発明の一実施形態による第１の壁材取付金具を図１〜図３に示す。該取付金具１は、基台２と、該基台２から立設され先端に二股分枝部４を有する受止板３とからなる。該基台２は、平板状本体21と、該平板状本体21 の両側から傾設される脚板部22，23と、一方の脚板部22から延設される平板部24とからなり、一方の脚板部22には複数個の釘孔25が設けられ、該平板部24には複数個のビス孔26が設けられている。
【００１６】
該受止板３先端の二股分枝部４は、該受止板３の本体に連続する上側枝部41と、着脱可能な下側枝部42とからなり、図２に示すように該上側枝部41の基端部分411 に沿って細長孔43が形成されている。該下側枝部42は、図３に示すように板状体を屈曲させて断面山形状にしたものであり、枝部本体421 と挿入部422 とからなり、該枝部本体421 と挿入部422 との境界部分において、一方の側からは深いスリット（深スリット）423 が形成され、他方の側からは浅いスリット（浅スリット）424 が形成されている。なお、該下側枝部42の長さＬ2 は、上記上側枝部41の細長孔43の長さＬ1 よりも大きく設定されており、該浅スリット424 の開口端から該深スリット423 の奥端までの長さＬ3 は、該上側枝部41の細長孔43の長さＬ1 よりも若干小さく設定されている。
該下側枝部42の挿入部422 は該上側枝部41の基端部分411 の細長孔43に挿入され、このようにして該下側枝部42は該上側枝部41の基端部分411 に取り付けられている
。そして、該受止板３の下側には壁材の下実嵌合部15が形成され、該受止板３の上側には壁材の奥実嵌合部16が形成されている。
【００１７】
上記取付金具１を使用して壁材８，８ａ…を施工する方法を説明する。なお、図１０に示すように、該壁材８ａの上辺には下実81ａが形成されており、該壁材８ａの下辺には上実82ａが形成されているとともに該上実82ａの根端下側からは奥実83ａが差し出されている。
まず取付金具１における二股分枝部４の下側枝部42を外しておき、図４に示すように、躯体柱５に対して該取付金具１の位置決めを行い、該取付金具１の基台２における脚板部22の釘孔25を介して釘51によって（又は基台２の平板部24のビス孔26を介してビスによって）、該取付金具１を該躯体柱５に止着する。
【００１８】
そして、図５に示すように、該躯体柱５に壁材８を沿わせ、該壁材８上辺の下実部81を該取付金具１の受止板３下側の下実嵌合部15（受止板３の下面）に当接させた上で、以下のようにして該取付金具１の上側枝部41の基端部分411 に下側枝部42を取り付ける（図９）。なお、最下段の壁材８の下端部は、図示しない水切り部材等によって該躯体柱５に固定される。
【００１９】
該下側枝部42を該取付金具１の上側枝部41の基端部分411 に取り付けるには、まず図６に示すように、該下側枝部42の挿入部422 を、該下側枝部42の深スリット423 側から該上側枝部41の基端部分411 の細長孔43に挿入し、そして図７に示すように、該下側枝部42の深スリット422 を該上側枝部41の細長孔43右側の基端部分411 に噛み込ませ、該下側枝部42の挿入部422 における浅スリット424 側の端部が該上側枝部41の細長孔43を通過したら、図８に示すように該下側枝部42を該浅スリット424 側にスライドさせて、該浅スリット424 を該上側枝部41の細長孔43左側の基端部分411 に噛み込ませる。このようにして、該下側枝部42の深スリット423 及び浅スリット424 は該上側枝部41の基端部分411 に噛み込んだ状態となり、該下側枝部42が該上側枝部41の基端部分411 に取り付けられる。
【００２０】
以上のようにして下側枝部42が上側枝部41の基端部分411 に取り付けられ、二股分枝部４が形成されると、図９に示すように上記壁材８上辺の下実部81は該取付金具１の下実嵌合部15に嵌合した状態となる。
【００２１】
次に、図１０に示すように、一つ上の段の取付金具１ａの位置決めを行い、上記と同様にして該取付金具１ａを該躯体柱５に止着した後、一つ上の段の壁材８ａを該躯体柱５に沿わせ、該壁材８ａ下辺の奥実部83ａを上記取付金具１の受止板３上側の奥実嵌合部16に嵌合させる。そして、該壁材８ａ上辺の下実部 81ａを該取付金具１ａの受止板３ａ下側の下実嵌合部15ａ（受止板３ａの下面）に当接させる。
上記手順を繰り返し、壁材８，８ａ…を順次上段側に施工していく。
【００２２】
なお、該取付金具１ａの位置決めは、該壁材８ａを該躯体柱５に沿わせ、該壁材８ａ上辺の下実部81ａを該取付金具１ａの受止板３ａ下面に当接させることによって行ってもよいし、該壁材８ａの寸法に応じて該躯体柱５にあらかじめ目印を付しておき、該目印に従って行ってもよい。また、該壁材８，８ａ…を固定する前に、二股分枝部４の下側枝部42を外した複数の取付金具１，１ａ…をあらかじめ躯体柱５に止着しておいてもよい。
【００２３】
上記取付金具１を使用した壁材８の施工方法によれば、該取付金具１を躯体柱５に止着する際に、該壁材８を該躯体柱５に沿うように支持しておく必要がなく、該取付金具１を止着した後に二股分枝部４の下側枝部42を取り付けることにより該壁材８を固定することができるため、簡単に該壁材８を施工することができる。
【００２４】
本発明の一実施形態による第２の壁材取付金具を図１１に示す。該取付金具10は、上記第１の取付金具１と同様の基台２と、該基台２から立設される受止板３とからなる。該受止板３は先端に二股分枝部４を有し、該受止板３の中間からは両側に内層板係合板31が差し出されている。該二股分枝部４は上記第１の取付金具１と同様の構成を有し、該二股分枝部４の下側枝部 42は、該二股分枝部４の上側枝部41の基端部分411 に着脱自在に取り付けられる。
【００２５】
該取付金具10では、該基台２と内層板係合板 31との間において該受止板３の両側には内層板の端部嵌合部11，12が形成され、該内層板係合板31と該下側枝部42との間において該受止板３の下側には外層板の下実嵌合部13が形成され、該内層板係合板31と該上側枝部41との間において該受止板３の上側には外層板の奥実嵌合部14が形成される。
【００２６】
該取付金具10によれば、内層板と外層板とを有する壁材を重ね張り施工することができる。該内層板の種類としては、断熱材、保温材、防音材、吸音材、耐火材等があり、好ましくは断熱材が施工される。該断熱材としては、ポリウレタン発泡体、ポリエチレン、ポリプロピレン等のポリオレフィン発泡体、ポリスチレン発泡体、メラミン樹脂、尿素樹脂等のアミノ系樹脂発泡体、フェノール樹脂発泡体、イソシアネート発泡体、イソシアヌレート発泡体等のプラスチック発泡体からなるプラスチックボードや、多数の気泡が内在するセメント板、あるいはケイカル板、スラグ石膏ボード、ボード状のグラスウール又はロックウール等が例示され、該セメント板、ＡＬＣ板、ケイカル板、スラグ石膏ボード等は耐火性に優れる。
【００２７】
また、該内層板の外側には外層板が施工されるため、該内層板は表面平滑性等の外観上の物性が悪いものであっても問題はない。したがって、該内層板（断熱材）はリサイクル資材を使用して製造したものであってもよく、例えば、補強材として新聞故紙や廃プラスチックを使用して製造したセメント板等や、増量材として窯業系外装材の廃材や中間リジェクト（不良品）等を使用して製造したセメント板等であってもよい。
【００２８】
該外層板としては、窯業系の外装材、特に木質繊維補強セメント板等の外装材が好ましく使用される。図１５に示すように、通常該外層板７ａの上辺には下実71ａが形成されており、該外層板７ａの下辺には上実72ａが形成されているとともに該上実72ａの根端下側からは奥実73ａが差し出されている。
【００２９】
上記取付金具10を使用した第１の施工方法においては、まず該取付金具10における二股分枝部４の下側枝部42を外しておき、図１２に示すように、躯体柱５に内層板６を沿わせ、該内層板６の上端部61を該取付金具10の受止板３下側の内層板端部嵌合部11に嵌合させるとともに、基台２の脚板部22の釘孔25を介して釘51によって（又は基台２の平板部24のビス孔26を介してビスによって）該取付金具10を該躯体柱５に止着する。なお、最下段の内層板６の下端部は、図示しない水切り部材等によって該躯体柱５に固定される。
【００３０】
上記取付金具10を躯体柱５に止着したら、図１３に示すように、該内層板６の外側に外層板７を沿わせ、該外層板７上辺の下実部71を該取付金具10の受止板３下側の外層板下実嵌合部13（受止板３の先端部下面）に当接させた上で該取付金具10の上側枝部41の基端部分411 に下側枝部42を取り付け、二股分枝部４を形成して、該外層板７の下実部71を該取付金具10の外層板下実嵌合部13に嵌合せしめる。該下側枝部42の取り付けは、上記第１の取付金具１と同様にして行えばよい。なお、最下段の外層板７の下端部も、上記最下段の内層板６と同様に、図示しない水切り部材等によって該躯体柱５に固定される。
【００３１】
次に、図１４に示すように、一つ上の段の内層板６ａを該躯体柱５に沿わせ、該内層板６ａの下端部62ａを上記取付金具10の受止板３上側の内層板端部嵌合部12に嵌合させる。そして、該内層板６ａの上端部61ａを一つ上の段の取付金具10ａの受止板３ａ下側の内層板端部嵌合部11ａに嵌合させるとともに、該取付金具 10ａの基台２ａの脚板部22ａの釘孔25ａを介して釘51ａによって該取付金具10ａを該躯体柱５に止着する。
【００３２】
上記取付金具10ａを躯体柱５に止着したら、図１５に示すように、一つ上の段の外層板７ａを上記内層板６ａの外側に沿わせ、該外層板７ａ下辺の奥実部73ａを上記取付金具10の受止板３上側の外層板奥実嵌合部14に嵌合させる。そして、該外層板７ａ上辺の下実部71ａを該取付金具10ａの外層板下実嵌合部13ａ（受止板３ａの先端部下面）に当接させた上で該取付金具10ａの上側枝部41ａの基端部分411 ａに下側枝部42ａを取り付けて二股分枝部４ａを形成し、該外層板７ａの下実部71ａを該取付金具10ａの外層板下実嵌合部13ａに嵌合した状態とする。
以上のようにして、内層板６，６ａ…と外層板７，７ａ…とを交互に上段側に施工していく。
【００３３】
上記取付金具10を使用した第２の施工方法においては、まず取付金具10における二股分枝部４の下側枝部42を外しておき、図１２に示すように、躯体柱５に内層板６を沿わせ、該内層板６の上端部61を上記取付金具10の受止板３下側の内層板端部嵌合部11に嵌合させるとともに、基台２の脚板部22の釘孔25を介して釘51によって該取付金具10を該躯体柱５に止着する。なお、最下段の内層板６の下端部は、図示しない水切り部材等によって該躯体柱５に固定される。
【００３４】
次に、図１６に示すように、一つ上の段の内層板６ａを該躯体柱５に沿わせ、該内層板６ａの下端部62ａを上記取付金具10の受止板３上側の内層板端部嵌合部12に嵌合させる。
上記手順を繰り返し、内層板６，６ａ，６ｂ…を順次上段側に施工していく。
【００３５】
上記内層板６，６ａ，６ｂ…の施工を行った後、図１７に示すように、既に施工された該内層板６の外側に外層板７を沿わせ、該外層板７上辺の下実部71を該取付金具10の受止板３下側の外層板下実嵌合部13（受止板３の先端部下面）に当接させた上で該取付金具10の上側枝部41の基端部分411 に下側枝部42を取り付けて二股分枝部４を形成し、該外層板７の下実部71を該取付金具10の外層板下実嵌合部13に嵌合した状態とする。なお、最下段の外層板７の下端部も、図示しない水切り部材等によって該躯体柱５に固定される。
【００３６】
次に、図１８に示すように、一つ上の段の外層板７ａを上記内層板６ａの外側に沿わせ、該外層板７ａ下辺の奥実部73ａを上記取付金具10の受止板３上側の外層板奥実嵌合部14に嵌合させる。そして、該外層板７ａ上辺の下実部71ａを上記取付金具10ａの外層板下実嵌合部13ａ（受止板３ａの先端部下面）に当接させた上で該取付金具10ａの上側枝部41ａの基端部分411 ａに下側枝部42ａを取り付けて二股分枝部４ａを形成し、該外層板７ａの下実部71ａを該取付金具10ａの外層板下実嵌合部13ａに嵌合した状態とする。
上記手順を繰り返し、外層板７，７ａ…を順次上段側に施工していく。
【００３７】
上記取付金具10を使用した第１の施工方法及び第２の施工方法によれば、内層板６と外層板７とを簡単に重ね張り施工することができる。これらの方法においては、内層板６と外層板７とは接着しないため、両者を一体的に複合パネル化する工程は不要で、接着剤による人間や環境への害もなく、該内層板６の種類と外層板７の種類も自由に組み合わせることができる。またリフォームする際にも内層板６又は外層板７のいずれか一方を張り替えることができ、使用済みの内層板６及び外層板７は分離しているため廃棄処分やリサイクルを容易に行うことができる。さらに、施工された内層板６と外層板７との間には多少なりとも間隙が存在するため、該間隙が通気層の役割を果たして結露しにくくなり、結露したとしても該間隙から排水することができる。
【００３８】
上記取付金具10は、本発明の思想を逸脱しない限り、種々の変更を施すことができる。かかる変更を施した壁材取付金具を図１９〜図４２に示す。
図１９及び図２０に示す取付金具101 における受止板３の両側には、内層板６の上端部61及び下端部62に形成されたスリット63に挿入される内層板スリット挿入板32（内層板係合部の一態様）が差し出されており、上記取付金具10の内層板係合板31と同様のものは設けられていない。
【００３９】
図２１及び図２２に示す取付金具102 における受止板３の中間両側には、上記取付金具10の内層板係合板31と同様の内層板係合板31と、上記取付金具101 の内層板スリット挿入板32と同様の内層板スリット挿入板32とが差し出されている。
【００４０】
図２３に示す取付金具103 及び図２４に示す取付金具104 における受止板３の両側には、上記取付金具101 の内層板スリット挿入板32と同様の内層板スリット挿入板32が差し出されており、該取付金具103 の受止板３は内層板６の下端部62に係合するように上側に直角に屈曲しており（内層板係合部の一態様）、該取付金具104 の受止板３は内層板６の上端部61に係合するように下側に直角に屈曲しており（内層板係合部の一態様）、いずれの取付金具103,104 の受止板３にも上記取付金具10の内層板係合板31と同様のものは設けられていない。
【００４１】
図２５に示す取付金具105 及び図２６に示す取付金具106 における受止板３は、内層板係合板31を介して、内層板６を受け止める内層板受止板301 と外層板７を受け止める外層板受止板302 とに２分割されており、該取付金具105 の外層板受止板302 は、該取付金具105 の内層板受止板301 よりも上側に立設しており、該取付金具106 の外層板受止板302 は、該取付金具105 の内層板受止板301 よりも下側に立設している。また、いずれの取付金具105,106 においても、該内層板受止板301 の両側には上記取付金具101 の内層板スリット挿入板32と同様の内層板スリット挿入板32が差し出されている。
【００４２】
図２７に示す取付金具107 及び図２８に示す取付金具108 における受止板３は、内層板６の上端部61及び下端部62に形成された合決段部64，65に対応するように屈曲形状とされており（内層板係合部の一態様）、該取付金具107 の受止板３は上側に屈曲しており、該取付金具108 の受止板３は下側に屈曲している。かかる取付金具107,108 、特に取付金具108 を使用した場合、該内層板６の接合部分における防水性が向上する。
【００４３】
図２９に示す取付金具109 及び図３０に示す取付金具110 における受止板３は、上記取付金具107,108 と同様に、内層板６の上端部61及び下端部62に形成された合決段部64，65に対応するように屈曲形状とされており、さらに該取付金具109 の受止板３は内層板６の上端部61に係合するように下側に直角に屈曲しており、該取付金具110 の受止板３は内層板６の下端部62に係合するように上側に直角に屈曲しており、いずれの取付金具109,110 の受止板３にも上記取付金具10の内層板係合板31と同様のものは設けられていない。
【００４４】
図３１に示す取付金具111 、図３２に示す取付金具112 、図３３に示す取付金具113 、図３４に示す取付金具114 、図３５に示す取付金具115 及び図３６に示す取付金具116 における受止板３は、内層板係合板31を介して、内層板６を受け止める内層板受止板301 と外層板７を受け止める外層板受止板302 とに２分割されており、各内層板受止板301 は、上記取付金具107,108 の受止板３と同様に、内層板６の上端部61及び下端部62に形成された合決段部64，65に対応するように屈曲形状とされており、該取付金具 111,112,116 の内層板受止板301 は上側に屈曲しており、該取付金具113,114,115 の内層板受止板301 は下側に屈曲している。また、該取付金具111,112,115 の外層板受止板302 は、該取付金具111,112,115 の内層板受止板301 よりも下側に立設しており、該取付金具113,114,116 の外層板受止板302 は、該取付金具113,114,116 の内層板受止板301 よりも上側に立設している。さらに、該取付金具112 の内層板係合板31は、該取付金具111 の内層板係合板31よりも上方に長く、該取付金具114 の内層板係合板31は、該取付金具113 の内層板係合板31よりも下方に長く設定されている。
【００４５】
図３７に示す取付金具117 における受止板３は、斜めに切断された内層板６の上端部61及び下端部62に対応するように、基台２から下方に傾設されている（内層板係合部の一態様）。
図３８に示す取付金具118 における受止板３は、内層板６の上端部61及び下端部62に形成されたクランク状の合決段部64，65に対応するようにクランク状に屈曲されている（内層板係合部の一態様）。
図３９に示す取付金具119 における受止板３には、内層板６の上端部61に形成された凸部66及び内層板６の下端部62に形成された凹部67に嵌合するように上側に凸になった凸部33（内層板係合部の一態様）が形成されている。
【００４６】
図４０に示す取付金具120 における内層板係合板31は、内層板６の上端部61外側及び下端部62外側に形成された切欠き溝68に嵌合している。
図４１に示す取付金具121 における基台２は、平板状になっている。
図４２に示す取付金具122 における二股分枝部４の上側枝部41及び下側枝部42は、上記取付金具10における二股分枝部４の上側枝部41及び下側枝部42のように斜め上方及び斜め下方には差し出されておらず、垂直上方及び垂直下方に差し出されている。
【００４７】
これら図１９〜図４２に示す取付金具によっても、上記取付金具10と同様の手順により内層板６及び外層板７を施工することができる。
【００４８】
本発明の他の実施形態による第２の壁材取付金具を図４３〜図４５に示す。該取付金具10Ａは、基台２Ａと、該基台２Ａから立設され先端に二股分枝部４Ａを有する受止板３Ａとからなり、該基台２Ａは、上記取付金具１と同様の構成を有する。
該受止板３Ａ先端の二股分枝部４Ａは、該受止板３Ａの本体に連続する上側枝部41Ａと、着脱可能な下側枝部42Ａとからなり、図４３及び図４４に示すように該上側枝部41Ａの中間には、該上側枝部41Ａの基端部分411 Ａまで至る矩形の切欠部44Ａが形成されている。
【００４９】
該下側枝部42Ａは、図４５に示すように、枝部本体421 Ａと基部425 Ａとからなる断面山形の形状を有し、該枝部本体421 Ａと基部425 Ａとの境界部分において、両側からスリット423 Ａ，424 Ａが形成されている。なお、該下側枝部42Ａの枝部本体421 Ａの長さは該上側枝部41Ａの長さと同一であり、該下側枝部42Ａの基部425 Ａの長さは該上側枝部41Ａの切欠部44Ａの長さよりも大きく設定されており、該下側枝部42Ａにおける一方のスリット423 Ａの奥端から他方のスリット424 Ａの奥端までの境界部分426 Ａの長さは該上側枝部41Ａの切欠部44Ａの長さと略同一である。
【００５０】
該取付金具10Ａにおいては、該下側枝部42Ａのスリット423 Ａ，424 Ａを該上側枝部41Ａの切欠部44Ａの両側に噛み込ませるようにして該下側枝部42Ａの境界部分426 Ａを該上側枝部41Ａの切欠部44Ａに嵌合させ、そして該下側枝部42Ａの境界部分426 Ａを該上側枝部41Ａの切欠部44Ａ下端まで移動させて該下側枝部42Ａのスリット423 Ａ，424 Ａを該上側枝部41Ａの切欠部44Ａ下端の両側に噛み込ませることにより、該下側枝部42Ａは該上側枝部41Ａの基端部分411 Ａに取り付けられ、このようにして該二股分枝部４Ａが形成される。
【００５１】
上記取付金具10Ａは、本発明の思想を逸脱しない限り、種々の変更を施すことができる。例えば、図４６に示す取付金具101 Ａのように、上側枝部41Ａにおける切欠部44Ａ下端の一方の側に深スリット441 Ａを形成し、他方の側に浅スリット442 Ａを形成してもよい。
該取付金具101 Ａにおいては、上記下側枝部42Ａのスリット424 Ａを該上側枝部41Ａの切欠部44Ａ左側に噛み込ませつつ下側にずらし、該下側枝部42Ａのスリット424 Ａを該上側枝部41Ａの深スリット441 Ａ左側の基端部分411 Ａに噛み込ませ（該下側枝部42Ａの境界部分426 Ａを該上側枝部41Ａの深スリット441 Ａに挿入し）、該下側枝部42Ａの境界部分426 Ａの右端が該上側枝部41Ａの切欠部44Ａに落ち込み、該下側枝部42Ａの境界部分426 Ａ全体が該上側枝部41Ａの切欠部44Ａ下端に達したら、該下側枝部42Ａを該上側枝部41Ａの浅スリット442 Ａ側にスライドさせて、該浅スリット442 Ａを該下側枝部42Ａの境界部分426 Ａに噛み込ませ、もって該上側枝部41Ａの深スリット441 Ａ及び浅スリット442 Ａを該下側枝部42Ａの境界部分426 Ａに噛み込んだ状態とする（該下側枝部42Ａのスリット423 Ａ，424 Ａを該上側枝部41Ａの基端部分411 Ａに噛み込んだ状態とする）ことにより、該下側枝部42Ａは該上側枝部41Ａの基端部分411 Ａに確実に固定される。
【００５２】
また、図４７に示す取付金具102 Ａのように、上側枝部41Ａにおける切欠部44Ａの下端を下側枝部42Ａの境界部分426 Ａの長さと略同一とする一方、該切欠部44Ａの上端を該切欠部44Ａの下端よりも広げ、該切欠部44Ａを逆台形状に形成してもよい。
該取付金具102 Ａにおいては、上側枝部41Ａの切欠部44Ａの開口部が下側枝部42Ａの境界部分426 Ａよりも広いため、該下側枝部42Ａの境界部分426 Ａを該上側枝部41Ａの切欠部44Ａに嵌合させ易く、スリット423 Ａ，424 Ａが該上側枝部41Ａの切欠部44Ａ両側に噛み込んだ状態の下側枝部42Ａを、容易に該上側枝部41Ａの基端部分411 Ａまで移動させることができる。
【００５３】
本発明の別の実施形態による第２の壁材取付金具を図４８〜図５０に示す。該取付金具10Ｂは、基台２Ｂと、該基台２Ｂから立設され先端に二股分枝部４Ｂを有する受止板３Ｂとからなり、該基台２Ｂは、上記取付金具１と同様の構成を有する。
該受止板３Ｂ先端の二股分枝部４Ｂは、該受止板３Ｂの本体に連続する上側枝部41Ｂと、着脱可能な下側枝部42Ｂとからなり、図４９に示すように該上側枝部41Ｂの基端部分411 Ｂの一方の側（図中右側）からは、スリット45Ｂが形成されている。
【００５４】
該下側枝部42Ｂは、図４８及び図５０に示すように、枝部本体421 Ｂと基部425 Ｂとからなる断面山形の形状を有し、該枝部本体421 Ｂと基部425 Ｂとの境界部分426 Ｂに沿って細長孔427 Ｂが形成されている。なお、該下側枝部42Ｂの細長孔427 Ｂの長さは、上記上側枝部41Ｂの長さよりも若干大きく設定されている。
【００５５】
該取付金具10Ｂにおいては、該下側枝部42Ｂの細長孔427 Ｂに該上側枝部41Ｂを挿入した後、該下側枝部42Ｂを図４８中左側にスライドさせ、該上側枝部41Ｂのスリット45Ｂを該下側枝部42Ｂの境界部分426 Ｂに噛み込ませることにより、該下側枝部42Ｂは該上側枝部41Ｂの基端部分411 Ｂに取り付けられ、このようにして該二股分枝部４Ｂが形成される。
【００５６】
上記取付金具10Ｂにおける上側枝部41Ｂ、及び下側枝部42Ｂの細長孔427 Ｂは複数形成されていてもよい。例えば、図５１〜図５３に示す取付金具101 Ｂでは、該上側枝部41Ｂ、及び下側枝部42Ｂの細長孔427 Ｂは、それぞれ２つづつ形成されている。
【００５７】
本発明の更に別の実施形態による第２の壁材取付金具を図５４〜図５６に示す。該取付金具10Ｃは、基台２Ｃと、該基台２Ｃから立設され先端に二股分枝部４Ｃを有する受止板３Ｃとからなり、該基台２Ｃは、上記取付金具１と同様の構成を有する。
該受止板３Ｃ先端の二股分枝部４Ｃは、該受止板３Ｃの本体に連続する上側枝部41Ｃと、着脱可能な下側枝部42Ｃとからなり、図５５に示すように該上側枝部41Ｃの基端部分411 Ｃには、該基端部分411 Ｃに沿って細長孔43Ｃ，43Ｃが２箇所形成されている。
【００５８】
該下側枝部42Ｃは、図５６に示すように枝部本体421 Ｃと２つの挿入部422 Ｃ，422 Ｃとからなる断面山形の形状を有し、各挿入部422 Ｃ，422 Ｃと該枝部本体421 Ｃとの境界部分の一方の側（図中左側）からは、スリット423 Ｃ，423 Ｃが形成されている。なお、上記上側枝部41Ｃにおける各細長孔43Ｃ，43Ｃの長さは、該下側枝部42Ｃにおける各挿入部422 Ｃ，422 Ｃの長さよりも若干大きく設定されている。
【００５９】
該取付金具10Ｃにおいては、該下側枝部42Ｃの挿入部422 Ｃ，422 Ｃを該上側枝部41Ｃの細長孔43Ｃ，43Ｃに挿入した後、該下側枝部42Ｃを図５４中左側にスライドさせ、該下側枝部42Ｃのスリット423 Ｃ，423 Ｃを該上側枝部41Ｃの基端部分411 Ｃに噛み込ませることにより、該下側枝部42Ｃは該上側枝部41Ｃの基端部分411 Ｃに取り付けられ、このようにして該二股分枝部４Ｃが形成される。
【００６０】
上記取付金具10Ｃでは、上側枝部41Ｃの細長孔43Ｃ及び下側枝部42Ｃの挿入部422 Ｃは２づつ形成されているが、本発明はこれに限定されることなく、１づつ形成されていてもよいし、３以上づつ形成されていてもよい。
【００６１】
本発明の更に別の実施形態による第２の壁材取付金具を図５７〜図５９に示す。該取付金具10Ｄは、基台２Ｄと、該基台２Ｄから立設され先端に二股分枝部４Ｄを有する受止板３Ｄとからなり、該基台２Ｄは、上記取付金具１と同様の構成を有する。
該受止板３Ｄ先端の二股分枝部４Ｄは、該受止板３Ｄの本体に連続する上側枝部41Ｄと、着脱可能な下側枝部42Ｄとからなる。図５７及び図５８に示すように、上側枝部41Ｄにおける右側約１／４の部分、及び左側約３／４の部分の中間には、該上側枝部41Ｄの基端部分411 Ｄまで至る矩形の切欠部44Ｄ，44Ｄが形成され、見かけ上、該上側枝部41Ｄは２つ形成せしめられている。そして、各上側枝部41Ｄ，41Ｄにおける基端部分411 Ｄ，411 Ｄの一方の側（図中右側）からは、スリット441 Ｄ，441 Ｄが形成されている。
【００６２】
該下側枝部42Ｄは、図５９に示すように枝部本体421 Ｄと２つの挿入部422 Ｄ，422 Ｄとからなる断面山形の形状を有し、各挿入部422 Ｄ，422 Ｄと該枝部本体421 Ｄとの境界部分426 Ｄ，426 Ｄの一方の側（図中左側）からは、スリット423 Ｄ，423 Ｄが形成されている。なお、該下側枝部42Ｄの境界部分426 Ｄ，426 Ｄの長さは、該上側枝部41Ｄの切欠部44Ｄ，44Ｄの長さよりも小さく設定されている。
【００６３】
該取付金具10Ｄにおいては、該上側枝部41Ｄの切欠部44Ｄ，44Ｄを介して該下側枝部42Ｄの基部425 Ｄを該受止板３Ｄ本体の先端部に重ね合わせた後、該下側枝部42Ｄを図５７中左側にスライドさせ、該下側枝部42Ｄのスリット423 Ｄ，423 Ｄを該上側枝部41Ｄの基端部分411 Ｄに噛み込ませるとともに、該上側枝部41Ｄのスリット441 Ｄ，441 Ｄを該下側枝部42Ｄの境界部分426 Ｄ，426 Ｄに噛み込ませることにより、該下側枝部42Ｄは該上側枝部41Ｄの基端部分411 Ｄに取り付けられ、このようにして該二股分枝部４Ｄが形成される。
【００６４】
上記取付金具10Ｄでは、上側枝部41Ｄの切欠部44Ｄ及び下側枝部42Ｄの基部425 Ｄは２づつ形成されているが、本発明はこれに限定されることなく、１づつ形成されていてもよいし、３以上づつ形成されていてもよい。また、該上側枝部 41Ｄのスリット441 Ｄはなくてもよい。
【００６５】
なお、上記第１の取付金具１における二股分枝部４も、以上説明した取付金具10Ａ，10Ｂ，101 Ｂ，10Ｃ，10Ｄの二股分枝部４Ａ，４Ｂ，４Ｃ，４Ｄと同様の構成にすることができる。
【００６６】
【発明の効果】
本発明の第１の壁材取付金具によれば、該取付金具を躯体柱に止着する際に、壁材を該躯体柱に沿うように支持しておく必要がなく、簡単に該壁材を施工することができる。
また、本発明の第２の壁材取付金具によれば、内層板と外層板とを相互に接着することなく、簡単に重ね張り施工することができる。
【図面の簡単な説明】
【図１】  本発明の一実施形態による第１の壁材取付金具の斜視図である。
【図２】  図１における取付金具の一部を示す斜視図である。
【図３】  図１における取付金具の一部を示す斜視図である。
【図４】  図１における取付金具を使用した壁材施工方法の一工程を説明する側面図である。
【図５】  図１における取付金具を使用した壁材施工方法の一工程を説明する側面図である。
【図６】  図１における取付金具を使用した壁材施工方法の一工程を説明する平面図である。
【図７】  図１における取付金具を使用した壁材施工方法の一工程を説明する平面図である。
【図８】  図１における取付金具を使用した壁材施工方法の一工程を説明する平面図である。
【図９】  図１における取付金具を使用した壁材施工方法の一工程を説明する側面図である。
【図１０】  図１における取付金具を使用した壁材施工方法の一工程を説明する側面図である。
【図１１】  本発明の一実施例による第２の壁材取付金具の斜視図である。
【図１２】  図１１における取付金具を使用した壁材施工方法の一工程を説明する側面図である。
【図１３】  図１１における取付金具を使用した壁材施工方法の一工程を説明する側面図である。
【図１４】  図１１における取付金具を使用した壁材施工方法の一工程を説明する側面図である。
【図１５】  図１１における取付金具を使用した壁材施工方法の一工程を説明する側面図である。
【図１６】  図１１における取付金具を使用した壁材施工方法の一工程を説明する側面図である。
【図１７】  図１１における取付金具を使用した壁材施工方法の一工程を説明する側面図である。
【図１８】  図１１における取付金具を使用した壁材施工方法の一工程を説明する側面図である。
【図１９】  本発明の他の実施形態による壁材取付金具の斜視図である。
【図２０】  図１９における取付金具を使用して壁材を施工した状態を示す側面図である。
【図２１】  本発明の別の実施形態による壁材取付金具の斜視図である。
【図２２】  図２２における壁材取付金具を使用して壁材を施工した状態を示す側面図である。
【図２３】  本発明の別の実施形態による壁材取付金具を使用して壁材を施工した状態を示す側面図である。
【図２４】  本発明の別の実施形態による壁材取付金具を使用して壁材を施工した状態を示す側面図である。
【図２５】  本発明の別の実施形態による壁材取付金具を使用して壁材を施工した状態を示す側面図である。
【図２６】  本発明の別の実施形態による壁材取付金具を使用して壁材を施工した状態を示す側面図である。
【図２７】  本発明の別の実施形態による壁材取付金具を使用して壁材を施工した状態を示す側面図である。
【図２８】  本発明の別の実施形態による壁材取付金具を使用して壁材を施工した状態を示す側面図である。
【図２９】  本発明の別の実施形態による壁材取付金具を使用して壁材を施工した状態を示す側面図である。
【図３０】  本発明の別の実施形態による壁材取付金具を使用して壁材を施工した状態を示す側面図である。
【図３１】  本発明の別の実施形態による壁材取付金具を使用して壁材を施工した状態を示す側面図である。
【図３２】  本発明の別の実施形態による壁材取付金具を使用して壁材を施工した状態を示す側面図である。
【図３３】  本発明の別の実施形態による壁材取付金具を使用して壁材を施工した状態を示す側面図である。
【図３４】  本発明の別の実施形態による壁材取付金具を使用して壁材を施工した状態を示す側面図である。
【図３５】  本発明の別の実施形態による壁材取付金具を使用して壁材を施工した状態を示す側面図である。
【図３６】  本発明の別の実施形態による壁材取付金具を使用して壁材を施工した状態を示す側面図である。
【図３７】  本発明の別の実施形態による壁材取付金具を使用して壁材を施工した状態を示す側面図である。
【図３８】  本発明の別の実施形態による壁材取付金具を使用して壁材を施工した状態を示す側面図である。
【図３９】  本発明の別の実施形態による壁材取付金具を使用して壁材を施工した状態を示す側面図である。
【図４０】  本発明の別の実施形態による壁材取付金具を使用して壁材を施工した状態を示す側面図である。
【図４１】  本発明の別の実施形態による壁材取付金具を使用して壁材を施工した状態を示す側面図である。
【図４２】  本発明の別の実施形態による壁材取付金具を使用して壁材を施工した状態を示す側面図である。
【図４３】  本発明の別の実施形態による壁材取付金具の斜視図である。
【図４４】  図４３における取付金具の一部を示す斜視図である。
【図４５】  図４３における取付金具の一部を示す斜視図である。
【図４６】  本発明の別の実施形態による壁材取付金具の一部を示す正面図である。
【図４７】  本発明の別の実施形態による壁材取付金具の一部を示す正面図である。
【図４８】  本発明の別の実施形態による壁材取付金具の斜視図である。
【図４９】  図４８における取付金具の一部を示す斜視図である。
【図５０】  図４８における取付金具の一部を示す斜視図である。
【図５１】  本発明の別の実施形態による壁材取付金具の斜視図である。
【図５２】  図５１における取付金具の一部を示す斜視図である。
【図５３】  図５１における取付金具の一部を示す斜視図である。
【図５４】  本発明の別の実施形態による壁材取付金具の斜視図である。
【図５５】  図５４における取付金具の一部を示す斜視図である。
【図５６】  図５４における取付金具の一部を示す斜視図である。
【図５７】  本発明の別の実施形態による壁材取付金具の斜視図である。
【図５８】  図５７における取付金具の一部を示す斜視図である。
【図５９】  図５７における取付金具の一部を示す斜視図である。
【図６０】  従来の壁材取付金具の斜視図である。
【図６１】  従来の壁材取付金具を使用して壁材を施工する状態を示す側面図である。
【符号の説明】
１，10…取付金具
15，13…（下）実嵌合部
16，14…（奥）実嵌合部
２…基台
３，３Ａ，３Ｂ，３Ｃ，３Ｄ…受止板
31…内層板係合部（内層板係合板）
４，４Ａ，４Ｂ，４Ｃ，４Ｄ…二股分枝部材
41，41Ａ，41Ｂ，41Ｃ，41Ｄ…上側枝部
411，411Ａ，411Ｂ，411Ｃ，411Ｄ…基端部分
42，42Ａ，42Ｂ，42Ｃ，42Ｄ…下側枝部
421，421Ａ，421Ｂ，421Ｃ，421Ｄ…枝部本体
422，422Ｃ…挿入部
423…深いスリット
423Ａ，423Ｃ，423Ｄ…スリット
424…浅いスリット
424Ａ…スリット
425Ａ，425Ｂ，425Ｄ…基部
426Ａ，426Ｂ，426Ｄ…境界部分
427Ｂ…細長孔
43，43Ｃ…細長孔
44Ａ，44Ｄ…切欠部
45Ｂ…スリット
５…躯体柱
６…内層板
７…外層板
８…壁材
【図１】
0003942298.tif 000002
【図２】
0003942298.tif 000003
【図３】
0003942298.tif 000004
【図４】
0003942298.tif 000005
【図５】
0003942298.tif 000006
【図６】
0003942298.tif 000007
【図７】
0003942298.tif 000008
【図８】
0003942298.tif 000009
【図９】
0003942298.tif 000010
【図１０】
0003942298.tif 000011
【図１１】
0003942298.tif 000012
【図１２】
0003942298.tif 000013
【図１３】
0003942298.tif 000014
【図１４】
0003942298.tif 000015
【図１５】
0003942298.tif 000016
【図１６】
0003942298.tif 000017
【図１７】
0003942298.tif 000018
【図１８】
0003942298.tif 000019
【図１９】
0003942298.tif 000020
【図２０】
0003942298.tif 000021
【図２１】
0003942298.tif 000022
【図２２】
0003942298.tif 000023
【図２３】
0003942298.tif 000024
【図２４】
0003942298.tif 000025
【図２５】
0003942298.tif 000026
【図２６】
0003942298.tif 000027
【図２７】
0003942298.tif 000028
【図２８】
0003942298.tif 000029
【図２９】
0003942298.tif 000030
【図３０】
0003942298.tif 000031
【図３１】
0003942298.tif 000032
【図３２】
0003942298.tif 000033
【図３３】
0003942298.tif 000034
【図３４】
0003942298.tif 000035
【図３５】
0003942298.tif 000036
【図３６】
0003942298.tif 000037
【図３７】
0003942298.tif 000038
【図３８】
0003942298.tif 000039
【図３９】
0003942298.tif 000040
【図４０】
0003942298.tif 000041
【図４１】
0003942298.tif 000042
【図４２】
0003942298.tif 000043
【図４３】
0003942298.tif 000044
【図４４】
0003942298.tif 000045
【図４５】
0003942298.tif 000046
【図４６】
0003942298.tif 000047
【図４７】
0003942298.tif 000048
【図４８】
0003942298.tif 000049
【図４９】
0003942298.tif 000050
【図５０】
0003942298.tif 000051
【図５１】
0003942298.tif 000052
【図５２】
0003942298.tif 000053
【図５３】
0003942298.tif 000054
【図５４】
0003942298.tif 000055
【図５５】
0003942298.tif 000056
【図５６】
0003942298.tif 000057
【図５７】
0003942298.tif 000058
【図５８】
0003942298.tif 000059
【図５９】
0003942298.tif 000060
【図６０】
0003942298.tif 000061
【図６１】
0003942298.tif 000062